(57)【要約】レピア織機のためのレピアであって、質量の小さい自己締めつけ型（self tightening）回転式クランプであって、その回転軸が最大加速度方向に一致するクランプと、自己締めつけ型クランプを閉じるのに用いられている力を、それを開けるのに用いられる力に変換する折畳み（collapsing）ピボット連結部材と、折畳みピボット連結部材の状態変化を制御する圧電トリガー装置システムであって、当該装置は、挿入サイクルの開始に当たって充電され、織機の中央部において放電されることでシステムの状態を変化させる、という圧電トリガー装置システムと、そして、受光素子を有する電子回路であって、当該受光素子は、適当なレベルの光が装置に導入されるとアクチュエータが放電状態となる、という形でトリガーシステムの圧電部に接続されている、という電子回路と、を有するレピア。
2005503494.tif 000002
【特許請求の範囲】
【請求項１】
レピア織機で使用するためのレピアであって、
繊維をクランプ留めするためのクランプと、
クランプを第１の方向に動かすのに用いられる力を、クランプを第２の方向に動かすのに用いられる力に変換する、折畳み（collapsing）ピボット連結メカニズムと、
折畳みピボット連結の状態の変化を制御する圧電トリガー装置システムと、そして、
トリガー装置を駆動するためにトリガーシステムの圧電材料に接続されている電子回路と、
を有することを特徴とする前記レピア。
【請求項２】
電子回路は、予め決められたレベルの光が導入された際にトリガー装置を駆動させるように作られた受光素子を有すること、
を特徴とする請求項１に記載のレピア。
【請求項３】
クランプは回転式クランプであり、その回転軸は最大加速度の方向に一致すること、
を特徴とする請求項１または２に記載のレピア。
【請求項４】
請求項１乃至３のいずれかに記載された、回転式クランプ部材との接続のためのピボット連結メカニズムであって、
第１の固定ピボットを中心にして回転するようにされた第１の連結部材であり、回転式クランプ部材に強くつながれており、それによって前記クランプについても前記固定点を中心に回転することを可能にしている前記第１の連結部材と、
第１の連結部材上の第１のピボット位置に回転可能な形で接続された第２の連結部材と、そして、
連結ピボットを備えた第３の連結部材であって、前記連結ピボットは、前記第３の連結部材が第２の連結部材上の反応ピボットに回転可能な形で接続された状態で、第２の固定ピボットを中心にして回転するようにされている、という前記第３の連結部材と、
を有することを特徴とする前記メカニズム。
【発明の詳細な説明】
【技術分野】
【０００１】
レピア織機は公知のものであり、糸（yarn）が経糸（warp thread）の中を移動させられるという特質によって他の種類の織機とは区別される。従来のシャトル（杼）織機においては多くの糸がシャトルにのせられて運ばれ、これらの組み合わせは経糸を通り抜けて織機の向こう側に出る。
【背景技術】
【０００２】
レピア織機の主要な利点は、糸がメインの糸巻きから引き出されて、廃棄物が減り速度が上がるということである。挿入部品の剛性と織りの速度とを維持するために、織機上には２本のレピアがあり、糸は格納部の中央で受け渡しされる。糸は、一般に送り手（giver）と呼ばれる部品によって供給され、受け手（taker）と呼ばれる部品が受け取る。
一貫した形での織りを達成するためには、糸が確かな様態で保持されるとともに、送り手によって中央位置で妨害を受けずに解放される、ということが必須である。ネガティブレピアと呼ばれる種類のレピアは、Ｖ字スロットを用いて糸を捕らえ、挿入プロセスの間も糸を保持しておく手段としては摩擦に依存している。他の装置、その中でも特にドルニエ（Dornier）によって製造される装置は、ポジティブレピアと呼ばれるが、これはスプリングクランプを用いており、当該クランプは、適当なリリース面を外部から指で圧迫することで、織機の中央部において開けられる。
【０００３】
ネガティブレピアに関しては、２つの重要な問題点がある。その第１は、全ての糸を編むことができるわけではない、ということ。これは摩擦と繊維剛性との関係による。第２は、糸を捕らえるプロセスの間、糸はＶ字部分を通過しなければならず、そのために激しい磨耗が生じる可能性がある、ということ。これは素材が無駄になるという結果を招く。
ポジティブレピアには、挿入部品の質量が大きいために織りの最高速度がかなり下がってしまう、という問題があり、これは生産性を損なう結果を招く。また、外部から指を使うことによって、経糸に損傷をもたらすおそれがあり、経糸（thread）が損傷すれば糸（yarn）にも欠陥が生じることになる。
【０００４】
コンデンサおよびソレノイドなどの蓄積エネルギーシステムをレピアのアームに設置することは、実用的とは言えない。対質量比のエネルギー密度が非常に低いからである。いかなる高速往復運動システムにおいても、質量は深刻な障害である。なぜなら、F=maの式から分かるように、力が要っての場合、質量が増加するにつれて加速度が小さくなるからである。少しでもエネルギーを蓄積すれば、システムにおける慣性が大きく増える。
【０００５】
ネガティブレピア織機では、ヘッドは最高５０００ｍｓ-2（５００Ｇに匹敵する値）で加速することが可能である。すなわち、どんな重さのものでも、５００倍の重さがあるものとして作用する。ポジティブレピアのクランプをこのような力の下で閉じた状態に保つために、固いスプリングが用いられることになる。スプリングは質量と同様に作用し、織機の中央部で行われる開運動の速度を下げ、さらには動作速度を抑える。
【発明の開示】
【発明が解決しようとする課題】
【０００６】
システム条件を変更しなければならない場合にも閉スプリングを克服する必要がないとすれば、これは有益である。また、閉じて糸を保持するために必要となる力を小さくできれば、さらに有益である。
さらに、高速型装置の特徴として、システム内部での力が動作部品に対し、伸長とそれに関連した形状変化とを生じさせる、というものがある。レピアシステムの中には、ロッドを使ってヘッドを挿入するものもあるが、硬いベルト（カーボンファイバーで補強されたものが好ましい）を用いるシステムもある。こうしたベルトは加速の影響を受けて伸びてしまい、ヘッド同士の物理的な関係を変えることになる。そうして、受け渡しプロセスの速度を従属的にする。織機を低速にセットアップしようとすれば、ベルトの動きを考慮し、織り速度を予想することが必要となる。そこで、何らかの電気的手段を用いて動的に織機タイミングを変更することができれば、それは有益であろう。
【課題を解決するための手段】
【０００７】
本発明によって提供されるシステムは、
・質量の小さい自己締めつけ型（self tightening）回転式クランプであって、その回転軸が最大加速度方向に一致するクランプと、
・自己締めつけ型クランプを閉じるのに用いられている力を、それを開けるのに用いられる力に変換する折畳み（collapsing）ピボット連結部材と、
・折畳みピボット連結部材の状態変化を制御する圧電トリガー装置システムであって、当該装置は、挿入サイクルの開始に当たって充電され、織機の中央部において放電されることでシステムの状態を変化させる、という圧電トリガー装置システムと、そして、
・受光素子を有する電子回路であって、当該受光素子は、適当なレベルの光が装置に導入されるとアクチュエータが放電状態となる、という形でトリガーシステムの圧電部に接続されている、という電子回路と、
を有するものである。
【発明を実施するための最良の形態】
【０００８】
ここから、本発明の実施の形態について、あくまでも例示としての添付図面を用いながら説明していく。
まず、図１に示す回転クランプ構成部について考える。
図１においては、ピボット（１２）で回転するシリンダー（１０）が設けられており、当該ピボットの回転軸（１４）は、挿入プロセスの最大加速度の方向にある。シリンダー（１０）の面は周の一部分（１５）において解放され、その大きさは、あらゆる太さの織り糸について出入りを可能とするのに適したものである。
【０００９】
適切に形成されたクランピング面（１６）は、ピボット（１２）に対しては固く固定されており、シリンダー（１０）の非解放面とは接触するものの、解放部分（１５）とは接触しない、という形になっている。
解放部分から非解放部分（１８）への移行におけるリーディングコーナー（leading corner）とクランピング面（１６）とは以下に述べる様態で接触する。すなわち、接触点がピボット（１２）の下で垂直に移動することはありえず、好ましい様態として、接触線が主軸（１２）のセンターラインに対して成す角が、垂直方向に対して５度から１５度の間の大きさとなる。
【００１０】
２つの面の間にあるギャップに導入された糸（２）は先ず、図外のライトスプリングのねじり力によってクランプされる。なお、当該スプリングについては、シリンダー（１０）に作用する適当な構成を有するものであれば、どんなものでもよい。クランプの回転方向（４）の張力が糸（２）に加えられると、クランプ面（１６）と糸（２）との間の摩擦によるトルクモーメントが発生する。このトルクは、Cos（θ）によって規定される水平成分および垂直成分に変換されるが、ここでのθは、中心から接触点までの接触線が垂直線に対してなす相対的な角度である。この角度が浅ければ、それは、トルクの大部分がクランプする力に変えられ、そうして、糸（２）に加わる張力に比例して糸（２）に加わるグリップ力も大きくなる、ということを意味する。
【００１１】
次いで、閉じるため圧力が開けるための加速力となるように力スプリング（force spring）とクランプ部品との関係を変える方法について考える。図２乃至５は、一連の連動ダイアグラムとしてこの方法を示し、さらに、レピア織機の典型的な外皮部に適合した、製品典型の組立部品として示している。
システムは３つの主要な連結部材を有し、これらは、クランプ連結部材（２０）、反転連結部材（３０）、そしてタンブラー連結部材（４０）と呼ばれる。
【００１２】
クランプ連結部材（２０）は、固定ピボット（２１）、第１の作用ピボット（２２）、そして第２の作用ピボット（２３）を有する。クランプシリンダー（１０）は、当該連結部材に強く接続されており、固定ピボット（２１）の軸を中心にして回転する。
反転連結部材（３０）は、クランプ連結部材（２０）の第１の作用ピボット（２２）に回転可能な形で接続された継手ピボット（３１）を有する。継手ピボット（３１）の一方の側には、反応ピボット（３２）が存在する。これらのピボットのいずれかにはスロットが設けられ、それによって他の部品の横運動を可能とするが、ここでの説明では、継手ピボット（３１）をそうした構成として示している。継手ピボット（３１）のもう一方の側には、反転インタフェース（３３）が存在するが、それによって、反転連結部材（３０）とクランプ連結部材（２０）との組み合わせは、第２の作用ピボット（２３）が反転インタフェース（３３）に接する状態になるまで、第１の作用ピボット（２２）を中心に回転することができる。何らかの適当なデザインの力発生器（例えば、スプリング）が、反転スロットと同じ側に力を加え、継手ピボット（３１）を中心とした回転のモーメントを発生させる。この力は図では矢印（３５）として示してある。
【００１３】
タンブラー連結部材（４０）は固定ピボット（４１）を有し、当該固定ピボットは、クランプ連結部材（２０）の固定ピボット（２１）と同軸とすれば都合がよいが、必ずしもそうである必要はない。タンブラー連結部材はまた連結ピボット（４２）を有し、当該連結ピボットは、反転連結部材（３０）の反応ピボット（３２）に回転可能な形で接続されている。タンブラー連結部材（４０）についてはさらに、以下のような形で構成されている。すなわち、適当なトリガー装置の操作によって、連結ピボット（４２）が固定ピボット（４１）を中心にして自由に回転することとなり、そうして、継手ピボット（３１）を中心とした反応面の力（３５）を奪う、という形である。タンブラー連結部材（４０）については、説明の便宜上、単純なピボット式バーとして図示しているが、その機能は、電圧を加えられたガスシリンダー、ニーブレークメカニズム、カムまたは他の適当な装置によっても実現可能である。
【００１４】
ピボット式バーを使う場合、連結部材（４０）については、広く入手可能な戻り止め（５０）を置くことによって、回転を防止する。
ここで、戻り止め（５０）が配置されたシステムについて考える。力（３５）によって、継手ピボット（３１）を中心としたトルクモーメントが生じる。反転連結部材（３０）が自由回転しようとしても、連結ピボット（４２）を介して反応ピボット（３２）が固定されることにより、この自由回転は防止される。そのため、力（３５）は、継手ピボット（３１）から加えられている上方向の力となる。クランプ連結部材（２０）は、固定ピボット（２１）を中心にして自由回転する。そのため、継手ピボット（３１）に作用する力によって、クランプ連結部材（２０）は反時計回り方向に回転させられる。クランプ面については図示していないが、これらの面については、接触のタイミングが、クランプ連結部材（２０）の回転によって第２の作用ピボット（２３）が反転インタフェース（３３）に接触する前、となるように構成されている。クランプ面同士が接触すると、クランプ連結部材（２０）の自由回転は止まり、継手ピボット（３２）を中心とした連結バー（３０）の逆回転を経て、システムは均衡点に達する。それによって、第２の作用ピボット（２３）は反時計回りで反転インタフェース（３３）の方向に移動する。本システムについては、第２の作用ピボット（２３）が反転インタフェース（３３）に実際に接触するよりも前に、均衡点に達するように設計されている。
【００１５】
システムの状態を閉状態から開状態に切り替えるのが望ましい場合、戻り止め（５０）は何らかの適当な手段によって引っ込められるようにする。これにより、タンブラー連結部材（４０）は、反応ピボット（３２）を介して加えられる反力を受けて自由回転することが可能となる。固定された反応面が失われることで、メカニズムはその平衡状態を失うこととなり、それ以前に継手ピボット（３１）を介して上方向に加えられていた力は、反応ピボット（３２）を中心としたトルクモーメントに変わる。よって、クランプは連結部材（２０）は、反転連結部材（３０）と同様に時計回りに回転し、継手ピボット（３１）を中心にピボット運動する。第２の作用ピボット（２３）は直ちに反転インタフェース（３３）に接触するが、今度は、力（３５）から強い時計回りトルクが加わり、クランプ連結部材（２０）は急速に加速することになる。
【００１６】
システムのリセットは、タンブラー連結部材（４０）がリセット力の矢印（４８）が示す方向に回転することで実現される。こうしたプロセスに関して有益な特徴は、固定クランプ面（１６）と回転クランプ面（１０）との間のクランプ圧が、面同士が接触した後でゆっくりと高まり、糸（２）に加わる瞬間的な圧力を小さくする、という点である。
上述したメカニズムは、都合のよい構成として、個々の連結部材をプレートのように重ねて置く形で構成することができる。図５に示すのは、すでに説明したのと同一のメカニズムであるが、円形プレートの形で具体化されている。当該プレートは回転軸を中心に均衡しており、それによって不必要な力の発生を減らすものである。
【００１７】
次いで、圧電性または電歪性のトリガー装置について考える。なお、説明上の便宜のため、これ以降、当該トリガー装置については、単に圧電性電気装置と呼ぶことにする。
圧電性装置については、スタックまたはベンダーの形をしたものがよく知られている。全ての圧電素子の特徴として、それらはコンデンサ（電極を備えた誘電セラミックである）として作用する。
【００１８】
圧電素子については更に、動きが非常に小さいという特徴がある。ただし、この特徴に関しては例外があり、それは公知の面状バイモルフアクチュエータである。平面バイモルフアクチュエータの特徴は、装置の力性能（force capability）がより低い（一般的に最大で０.２５Ｎ）という点である。
図６は、平面バイモルフまたは他の何らかの低力アクチュエータを用いて高力システムを解放する場合の方法論を説明するものである。具体的には、ここに図示した構造は、本発明のタンブラー連結部材（４０）を解放するために用いることができる。
【００１９】
保持される主要力（primary force）（６０）については、何らかの適当なメカニズムによって生成される。当該メカニズムは、適当な素材で作られた角度付き面（６２）を提供する。メカニズムがその蓄積エネルギーを放出するためには、角度付き面（６２）が移動して、アクチュエータシステムの戻り止め（５０）の特徴部を通過することが必要である。当該面（６２）の角度は、どのような大きさにでも都合のよい角度に設定することができるが、以下の式によって決められる：
θ ＞ ９０ − Ａtanμ + θ1
・θは力（６０）に対して垂直になるよう測られた角度であり、図６（ｂ）.を見ればわかる。
・μは戻り止め（５０）に対する素材の摩擦係数であり、一般に０.２の値である。そして、θ1は加速度の必要角度であり、一般に５度の値であるが、それ以外の何か適当な値を用いることもできる。
【００２０】
加速度の角度が５度である場合、力（６０）の垂直成分F２は、当該力の約０.０８７５となり、それは、F２=F１ tan（θ）という式によって求められる。
戻り止め（５０）特徴部は、スプリング梁（７０）上に設置されている。当該梁は、一方の端部においては回転可能な形で定点（７１）に接しており、もう一方の端部ではスプリング力（７２）を受けて、自由回転する。当該スプリング力は、戻り止め（５０）特徴部を押し込んで角度付き面（６２）と接触させるように働く。
【００２１】
スプリングのばね率およびシステムの条件については、垂直方向の合力F２が、戻り止め（５０）と角度付き面（６２）との間の干渉距離を上回る大きさの「たわみ」を梁（７０）に生じさせるのに充分な大きさである、というものになっている。この場合、戻り止め（５０）システムは、角度付き面（６２）に対して自由な移動を許す。
梁の自由端部には、インタフェース部分（７５）が設けられている。インタフェース部には、自由移動の方向に対して角度が付いた面（７６）が設けられている。
【００２２】
面（７６）の角度は、戻り止め（５０）の力から角度付きピンアクションへの斜めモーメントを発生させるようなものになっている。面の角度は、以下の式によって決定される。
θ1=９０−A tan μ
・θ1は、図６（ｃ）に示す点で測られた角度であり、μは、戻り止め（６５）への素材の摩擦係数であり、一般的には０.２の値である。
【００２３】
摩擦係数が０.２であれば、角度は水平方向に対して約１１度となるであろう。
連結ピン（８０）は、何らかの適当な圧電性または電歪性アクチュエータに接続されており、当該アクチュエータは、角度付き面（７６）の下にピン（８０）を挿入することができる。
ピンの挿入によって梁の剛性は変化する。すなわち、垂直合力F２は弱まって、戻り止めを角度付き面（６２）の経路から押し外した状態に保つことができなくなり、システムはロックされることになる。高速振動システムの場合、システムを開状態へと動かすために必要な力が合力F２の高倍数であれば、このことは更に有意義な効果となる。
【００２４】
圧電性ベンダーについては、薄い素材で製造して、部品の物理的強度が小さくなるようにしなければならない。アクチュエータにピン（８０）を直接的に固定すると、支えることのできる下向きの力は制限される。従って、好ましい構成としては、ピン（８０）は非常に質量が小さい均衡梁（８１）にあって、素材と幾何学形状とによって強い梁剛性を有するのに加えてピボット（８２）を備えることとなっており、そのため、ピン（８０）をロック面（７６）の下に挿入されるようにするためには、アクチュエータにエネルギーを蓄積しなければならない。
【００２５】
次に、圧電性アクチュエータへの電力供給について考える。アクチュエータ（９４）は、図７に示すような回路を形成している。織機の外側にあって部品にアクセス可能な位置に置かれた何らかの適当な形の接点（９２）が、メカニズムがリセット状態に保たれている間、アクチュエータに電圧を加える。
メカニズムは、求められる運動に応じて加速、減速し、織機の中央において速度が最低かつ加速度が最大となる点に達する。同時に、アクチュエータには適当な受光素子アレイ（９６）に設けられており、当該アレイは好ましい構成として、非可視光（例：赤外線）を用いて動作するように調整されている。
【００２６】
マシン上のセンサー（９３）は、部品が中央に達するより前のタイミングでマシンの同期位置を検知し、適切な角度を決定する。プロセッサー（９５）はディレイを加えるが、当該ディレイは織機の回転速度に依存しており、何らかの適当な手段で決定され、さらにその後、エミッタのアレイ（９９）を始動させる（当該エミッタは受光素子（９６）の吸収スペクトルに一致している）。エミッタ（９９）からのフラッシュによって受光素子（９６）は伝導し、そうして圧電性アクチュエータ（９４）を放電する。放電後即座に、アクチュエータは上述した形でメカニズムを解放する。適当なインタフェースを用いれば、オペレーターはトリガーイベントを調節して、加速中の部品の伸長と編まれている糸の特性とを補償することが可能となる。
【００２７】
次いで、本発明において使用される反転連結部材３０に関する更に別の実施の形態について、図８を参照しながら説明する。
図８は、反転連結部材の部品を示す分解斜視図である。本連結部材はベース部材１１０を有し、当該ベース部材は、胴１１２の一方の端部を受け止めるためのベース１１１を備えている。胴のもう一方の端部には駆動ピン１１４が設けられており、その設置位置は、胴１１２の回転軸から径方向にずれた位置となっている。
【００２８】
ピン１１４は、連結アーム１１７にあるスロット１１６に受け止められる。スロットは、連結配置の設計および必要な力に応じ、アーム１１７内の適当な場所に置かれるが、この場合は、一般的な形として２つのピン１１８、１１９の中央に置かれている。ここでは、ピン１１８よりもピン１１９が長くなっているが、必ずしもこれには限るわけではなく、やはり、連結配置の残り部分の正確な設計に依存する。
【００２９】
連結アーム１１７にあるピン１１８、１１９はそれぞれ、ベース部材１１０に固定される自由プレート１２４にあるスロット１２０、１２１に受け止められる。スロット１２０は十字スロット１２２を備えているが、その目的については後で説明する。
次に図９を参照する。これは図８に示した構成を組み立てられた状態で示すものであり、同一の部品に対しては同一の参照番号を用いている。図９は、基準位置で休止している状態の装置を示し、ピン１１９は、胴１１２のピン１１４とピン１１９との間のスプリングによって、図に示す位置まで偏らされている。
【００３０】
圧電アクチュエータなど、電気的に動作させられる装置がメカニズムの上方に位置しており、当該メカニズムは、十字スロット１２２へのブロック部材の出し入れを生じさせるようになっている。当該部材は十字スロット１２２内にうまく嵌まるものとなっており、図９で示すような休止位置から離れる形でのピン１１８の移動に干渉する。
図１０においても、やはり、同一の部品には同一の参照番号を用いているが、ここでは、胴１１２が時計回りの方向に回転している。これによって、連結アーム１１７はピン１１９を中心に時計回り方向に回転させられるが、続いて、これによって、ピン１１８はスロット１２０内で上に上がっているが、ブロック部材が十字スロット１２２内にはないという事実を考えなければならない。従って、ピン１１９がロックのための出力部材として用いられれば、胴１１２の回転の結果としてピン１１９が移動することは全くない。
【００３１】
ただし、十字スロット１２２内にブロック部材が存在する場合は、スロット１２０におけるピン１１８の移動は抑制され、そのため、胴１１２の時計回り方向の回転の力によって、連結アームは反時計回り方向に回転させられて、スロット１２１内のピン１１９を図１１に示すように持ち上げることになる。
なお、上述したメカニズムに関しては、様々な変更が可能であることは理解できるであろう。たとえば、ピン１１９と同様にピン１１８についても出力として用いることができるであろう。このことは、ある方向への胴１１２の運動を、電気的に操作される装置の駆動状態に応じて、ある方向または他の方向の運動へと変換することが可能であることを意味する。また、胴を他のものと取り替えることも可能であろう。すなわち、ロックボルトで使用されるようなスライダー、あるいは、キー胴に接続されて、動作のために機械的キーと電子信号との両方を必要とするロックを実現するカムなどである。
【図面の簡単な説明】
【００３２】
【図１】回転クランプ構成部品について２つの異なる状態を示す図である。
【図２】３つの主要な連結部材を用いたプロセスにおける第１の段階を示す図である。
【図３】３つの主要な連結部材を用いたプロセスにおける第２の段階を示す図である。
【図４】３つの主要な連結部材を用いたプロセスにおける第３の段階を示す図である。
【図５】図２、３、４に示したメカニズムを円形のプレートで構成した場合の構造を示す図である。
【図６】（ａ）は平面バイモルフまたは他の何らかの低力アクチュエータを用いて高力システムを解放する場合の方法論を説明するために示すメカニズムの分解斜視図であり、同図（ｂ）および同図（ｃ）は、図６に示すメカニズムの部品の角度を示す図である。
【図７】アクチュエータによって形成される回路を示す図である。
【図８】本発明に用いられる反転連結部材について更に別の実施の形態を示す分解斜視図である。
【図９】図８に示す連結部材を第１の状態において示す正面図である。
【図１０】図８に示す連結部材を第２の状態において示す正面図である。
【図１１】図８に示す連結部材を第３の状態において示す正面図である。
【図１】
2005503494.tif 000003
【図２】
2005503494.tif 000004
【図３】
2005503494.tif 000005
【図４】
2005503494.tif 000006
【図５】
2005503494.tif 000007
【図６】
2005503494.tif 000008
【図７】
2005503494.tif 000009
【図８】
2005503494.tif 000010
【図９】
2005503494.tif 000011
【図１０】
2005503494.tif 000012
【図１１】
2005503494.tif 000013
【国際公開パンフレット】
2005503494.tif 000014
2005503494.tif 000015
2005503494.tif 000016
2005503494.tif 000017
2005503494.tif 000018
2005503494.tif 000019
2005503494.tif 000020
2005503494.tif 000021
2005503494.tif 000022
2005503494.tif 000023
2005503494.tif 000024
2005503494.tif 000025
2005503494.tif 000026
2005503494.tif 000027
2005503494.tif 000028
2005503494.tif 000029
2005503494.tif 000030
2005503494.tif 000031
2005503494.tif 000032
2005503494.tif 000033
2005503494.tif 000034
【国際調査報告】
2005503494.tif 000035
2005503494.tif 000036